(57)【特許請求の範囲】
【請求項１】
相手部材に形成されている挿込孔に挿し込み可能な挿込片と、相手部材に形成されている取付孔に取り付け可能なクリップと、を備えており、
挿込片を相手部材の挿込孔に挿し込んだ状態でクリップを相手部材の取付孔に取り付け可能となっている樹脂カバーであって、
挿込片の近傍には、傾斜部を有する第１のリブが形成されており、
挿入片を相手部材の挿込孔に挿し込むとき、挿入片が相手部材の挿入孔から外側に所定量ズレて挿入されると、傾斜部が相手部材の下縁または上縁に干渉し、樹脂カバー自身に位置ズレを発生させ、相手部材の取付孔に対するクリップの位置ズレを略下方向または略上方向に生じさせる樹脂カバー。
【請求項２】
請求項１に記載の樹脂カバーであって、
挿入片の内面には、第２のリブが形成されており、
挿入片を相手部材の挿込孔に挿し込むとき、挿入片が相手部材の挿入孔から外側に所定量より少なくズレて挿入されると、第２のリブが相手部材の突起に干渉し、樹脂カバー自身に位置ズレを発生させ、相手部材の取付孔に対するクリップの位置ズレを挿込片の抜き方向に生じさせる樹脂カバー。
【発明の詳細な説明】
【技術分野】
【０００１】
本発明は、樹脂カバーに関し、詳しくは、パネルに形成されている開口を塞ぎ可能な樹脂カバーに関する。
【背景技術】
【０００２】
従来、自動車１０１のインストルメントパネル（図示しない）から繋がるセンタークラスタ１１２のサイドパネル１１４には、各種機器（例えば、図示しないエアコン等）のメンテナンスを行うための開口１１４ａが形成されている（図１１参照）。この開口１１４ａは、樹脂製のエアコンカバー１３０によって塞ぎ可能となっている。このエアコンカバー１３０の先端側には、挿込片１３２が形成されている（図１２参照）。この挿込片１３２は、開口１１４ａの先端側に設けられている取付座１１６の挿込孔１１６ａに挿し込み可能となっている。この取付座１１６は、自動車１０１の車両ボデー（図示しない）の一部となっている。また、このエアコンカバー１３０の基端側の内面には、挟持爪１３８と台座１４０が形成されている（図１３参照）。この挟持爪１３８は、開口１１４ａの後端側に設けられているパイプ１１８の外周を挟み込み可能となっている。また、この台座１４０には、クリップ１５０の基端（図示しない）が取り付けられている。このクリップ１５０は、その取付部１５０ａがパイプ１１８に取り付けられているブラケット１２０の取付孔１２０ａに取り付け可能となっている。このように形成されているエアコンカバー１３０の挿込片１３２を取付座１１６の挿込孔１１６ａに挿し込み、この挿し込み状態のままで、パイプ１１８の外周面を挟持爪１３８で挟み込むと共にクリップ１５０の取付部１５０ａをブラケット１２０の取付孔１２０ａに取り付けると、エアコンカバー１３０をサイドパネル１１４に組み付けることができる（図１４〜１５参照）。したがって、エアコンカバー１３０によって開口１１４ａを塞ぐことができる。
【先行技術文献】
【特許文献】
【０００３】
なお、この出願の発明に関連する先行技術文献情報としては、例えば、特許文献１が知られている。
【特許文献１】実開平２−１６３３１号公報
【発明の概要】
【発明が解決しようとする課題】
【０００４】
しかしながら、上述した従来技術では、エアコンカバー１３０の挿込片１３２を取付座１１６の挿込孔１１６ａに挿入し損ねた状態でも、パイプ１１８の外周面を挟持爪１３８で挟み込むと共にクリップ１５０の取付部１５０ａをブラケット１２０の取付孔１２０ａに取り付けることが可能となっていた（図１６参照）。すなわち、エアコンカバー１３０は、本来、挿込片１３２と挟持爪１３８とクリップ１５０との３部材でサイドパネル１１４に組み付け可能となっているところ、挟持爪１３８とクリップ１５０との２部材でもサイドパネル１１４に組み付け可能となっていた。この２部材での組み付けを説明の便宜上、「誤組付」と記すこととする。このように誤組付が行われたままで自動車１０１が出荷されてしまうと、出荷後に、自動車１０１の走行時の振動によってエアコンカバー１３０がサイドパネル１１４から脱落してしまうことがあった。
【０００５】
本発明は、このような課題を解決しようとするもので、その目的は、誤組付を未然に防止する樹脂カバーを提供することである。
【課題を解決するための手段】
【０００６】
本発明は、上記の目的を達成するためのものであって、以下のように構成されている。
請求項１に記載の発明は、相手部材に形成されている挿込孔に挿し込み可能な挿込片と、相手部材に形成されている取付孔に取り付け可能なクリップと、を備えた樹脂カバーである。この樹脂カバーは、挿込片を相手部材の挿込孔に挿し込んだ状態でクリップを相手部材の取付孔に取り付け可能となっている。挿込片の近傍には、傾斜部を有する第１のリブが形成されている。挿入片を相手部材の挿込孔に挿し込むとき、挿入片が相手部材の挿入孔から外側に所定量ズレて挿入されると、傾斜部が相手部材の下縁または上縁に干渉し、樹脂カバー自身に位置ズレを発生させる。そのため、相手部材の取付孔に対するクリップの位置ズレを略下方向または略上方向に生じさせる。
【０００７】
請求項１の発明によれば、例えば、相手部材に対する樹脂カバーの組み付けにおいて、この樹脂カバーの挿込片を相手部材の挿込孔に大きく挿入し損ねると、第１のリブが相手部材の縁に干渉することとなる。したがって、相手部材に対して樹脂カバーが略上方向または略下方向に位置ズレを起こすため、相手部材の取付孔に対してクリップも略上方向または略下方向に位置ズレを起こしてしまうこととなる。結果として、クリップを相手部材の取付孔に取り付けることができないため、誤組付を未然に防止できる。
【０００８】
また、請求項２に記載の発明は、請求項１に記載の樹脂カバーであって、挿入片の内面には、第２のリブが形成されている。挿入片を相手部材の挿込孔に挿し込むとき、挿入片が相手部材の挿入孔から外側に所定量より少なくズレて挿入されると、第２のリブが相手部材の突起に干渉し、樹脂カバー自身に位置ズレを発生させる。そのため、相手部材の取付孔に対するクリップの位置ズレを挿込片の抜き方向に生じさせる。
【０００９】
請求項２の発明によれば、例えば、相手部材に対する樹脂カバーの組み付けにおいて、この樹脂カバーの挿込片を相手部材の挿込孔に小さく挿入し損ねると、第２のリブが相手部材に干渉することとなる。したがって、相手部材に対して樹脂カバーが挿込片の抜き方向に位置ズレを起こすため、相手部材の取付孔に対してクリップも挿込片の抜き方向に位置ズレを起こしてしまうこととなる。結果として、クリップを相手部材の取付孔に取り付けることができないため、誤組付を未然に防止できる。
【図面の簡単な説明】
【００１０】
【図１】実施例に係る車内の斜視図であり、エアコンカバーによって開口を塞ぐ前の状態を示している。
【図２】エアコンカバーの拡大図である。
【図３】図２のエアコンカバーの裏側を見た図である。
【図４】図１において、エアコンカバーによって開口を塞いだ後の状態を示している。
【図５】図４における横断面図である。
【図６】図４における前面図である。
【図７】図６において、挿込片を大きく挿入し損ねたときの横断面図である。
【図８】図７における前面図である。
【図９】図７における後面図である。
【図１０】図６において、挿込片を小さく挿入し損ねたときの横断面図である。
【図１１】従来技術に係る車内の斜視図であり、エアコンカバーによって開口を塞ぐ前の状態を示している。
【図１２】エアコンカバーの拡大図である。
【図１３】図１２のエアコンカバーの裏側を見た図である。
【図１４】図１１において、エアコンカバーによって開口を塞いだ後の状態を示している。
【図１５】図１４における横断面図である。
【図１６】図１５において、挿込片を挿入し損ねたときの横断面図である。
【発明を実施するための形態】
【００１１】
以下、本発明を実施するための形態を、図１〜１０を用いて説明する。なお、以下の説明にあたって、上、下、前、後、左、右とは、上述した図に記載した、上、下、前、後、左、右の方向、すなわち、エアコンカバー３０をサイドパネル１４に組み付けた自動車１を基準にしたときの上、下、前、後、左、右の方向を示している。まず、実施例に係るサイドパネル１４と、エアコンカバー３０とを個別に説明していく。
【００１２】
はじめに、サイドパネル１４から説明していく（図１参照）。このサイドパネル１４は、自動車１のインストルメントパネルから繋がるセンタークラスタ１２の左右を個別に覆うパネル状の樹脂部材から構成されている。なお、この実施例では、左右のサイドパネル１４のうち、左のサイドパネル１４を説明することとする。このサイドパネル１４には、各種機器（例えば、図示しないエアコン等）のメンテナンスを行うための開口１４ａが形成されている。この開口１４ａは、後述するエアコンカバー３０によって塞ぎ可能となっている。
【００１３】
この開口１４ａの先端側には、挿込孔１６ａを有する取付座１６が設けられている。この取付座１６は、自動車１の車両ボデー（図示しない）の一部となっている。この取付座１６における挿込孔１６ａの後側の縁には、突起１６ｃが形成されている。また、この開口１４ａの後端側には、ブラケット２０が取り付けられたパイプ１８が設けられている。このパイプ１８も、自動車１の車両ボデー（図示しない）の一部となっている。このブラケット２０には、後述するクリップ５０の取付部５０ａを取り付け可能な取付孔２０ａが形成されている。サイドパネル１４は、このように構成されている。
【００１４】
次に、エアコンカバー３０を説明する（図２〜３参照）。このエアコンカバー３０は、上述したサイドパネル１４の開口１４ａを塞ぎ可能なカバー状の樹脂部材から構成されている。このエアコンカバー３０が、特許請求の範囲に記載の「樹脂カバー」に相当する。このエアコンカバー３０の先端側には、挿込片３２が形成されている。この挿込片３２は、開口１４ａの先端側に設けられている取付座１６の挿込孔１６ａに挿し込み可能となっている。また、このエアコンカバー３０の先端側における挿込片３２の下部には、前下りの傾斜部３４ａを有する第１のリブ３４が形成されている。また、この挿込片３２の内面には、第２のリブ３６が形成されている。
【００１５】
また、このエアコンカバー３０の基端側の内面には、挟持爪３８と台座４０が形成されている。この挟持爪３８は、開口１４ａの後端側に設けられているパイプ１８の外周を挟み込み可能となっている。また、この台座４０には、クリップ５０の基端（図示しない）が取り付けられている。なお、これら挿込片３２、第１のリブ３４、第２のリブ３６、挟持爪３８および台座４０は、エアコンカバー３０に対して一体を成すように成形（樹脂成形）されている。エアコンカバー３０は、このように構成されている。
【００１６】
続いて、上述したエアコンカバー３０をサイドパネル１４に組み付ける手順を説明する。まず、エアコンカバー３０の挿込片３２を取付座１６の挿込孔１６ａに挿し込む作業を行う。次に、この挿し込み状態のままで、パイプ１８の外周面を挟持爪３８で挟み込むと共にクリップ５０の取付部５０ａをブラケット２０の取付孔２０ａに取り付ける作業を行う。これらにより、エアコンカバー３０をサイドパネル１４に組み付けることができる（図４〜６参照）。したがって、エアコンカバー３０によって開口１４ａを塞ぐことができる。
【００１７】
なお、このエアコンカバー３０の組み付けにおいて、例えば、エアコンカバー３０の挿込片３２を取付座１６の挿込孔１６ａに大きく挿入し損ねると（エアコンカバー３０の挿込片３２が取付座１６の挿込孔１６ａから左に大きくズレて挿入されると）、第１のリブ３４の傾斜部３４ａが取付座１６の下縁１６ｂに干渉することとなる（図７〜９参照）。したがって、サイドパネル１４に対してエアコンカバー３０が略下方向に位置ズレを起こすため、ブラケット２０の取付孔２０ａに対してクリップ５０も略下方向に位置ズレを起こしてしまうこととなる。結果として、クリップ５０の取付部５０ａをブラケット２０の取付孔２０ａに取り付けることができないため、誤組付を未然に防止できる。
【００１８】
また、このエアコンカバー３０の組み付けにおいて、例えば、エアコンカバー３０の挿込片３２を取付座１６の挿込孔１６ａに小さく挿入し損ねると（エアコンカバー３０の挿込片３２が取付座１６の挿込孔１６ａから左に小さくズレて挿入されると）、第２のリブ３６が取付座１６の突起１６ｃに干渉することとなる（図１０参照）。したがって、サイドパネル１４に対してエアコンカバー３０が挿込片３２の抜き方向（後方向）に位置ズレを起こすため、ブラケット２０の取付孔２０ａに対してクリップ５０も挿込片３２の抜き方向（後方向）に位置ズレを起こしてしまうこととなる。結果として、クリップ５０の取付部５０ａをブラケット２０の取付孔２０ａに取り付けることができないため、誤組付を未然に防止できる。
【００１９】
本発明の実施例に係るエアコンカバー３０は、上述したように構成されている。この構成によれば、エアコンカバー３０の先端側における挿込片３２の下部には、傾斜部３４ａを有する第１のリブ３４が形成されている。そのため、このエアコンカバー３０の組み付けにおいて、このエアコンカバー３０の挿込片３２を取付座１６の挿込孔１６ａに大きく挿入し損ねると、第１のリブ３４の傾斜部３４ａが取付座１６の下縁１６ｂに干渉することとなる。したがって、サイドパネル１４に対してエアコンカバー３０が略下方向に位置ズレを起こすため、ブラケット２０の取付孔２０ａに対してクリップ５０も略下方向に位置ズレを起こしてしまうこととなる。結果として、クリップ５０の取付部５０ａをブラケット２０の取付孔２０ａに取り付けることができないため、誤組付を未然に防止できる。
【００２０】
また、この構成によれば、エアコンカバー３０の挿込片３２の内面には、第２のリブ３６が形成されている。そのため、このエアコンカバー３０の組み付けにおいて、このエアコンカバー３０の挿込片３２を取付座１６の挿込孔１６ａに小さく挿入し損ねると、第２のリブ３６が取付座１６の突起１６ｃに干渉することとなる。したがって、サイドパネル１４に対してエアコンカバー３０が挿込片３２の抜き方向（後方向）に位置ズレを起こすため、ブラケット２０の取付孔２０ａに対してクリップ５０も挿込片３２の抜き方向（後方向）に位置ズレを起こしてしまうこととなる。結果として、クリップ５０の取付部５０ａをブラケット２０の取付孔２０ａに取り付けることができないため、誤組付を未然に防止できる。
【００２１】
上述した内容は、あくまでも本発明の一実施の形態に関するものであって、本発明が上記内容に限定されることを意味するものではない。
【００２２】
実施例では、左右のサイドパネル１４のうち、左のサイドパネル１４を説明した。しかし、これに限定されるものでなく、左右のサイドパネル１４のうち、右のサイドパネル１４であっても構わない。その場合、左のサイドパネル１４と右のサイドパネル１４とは、左右に対象な構成となっている。
【００２３】
また、実施例では、「樹脂カバー」の例として、「エアコンカバー３０」を説明した。しかし、これに限定されるものでなく、各種の樹脂製のカバー部材であれば、どのようなものに適用しても構わない。
【００２４】
また、実施例では、第１のリブ３４は、エアコンカバー３０の先端側における挿込片３２の下部に形成されている形態を説明した。しかし、これに限定されるものでなく、第１のリブ３４は、エアコンカバー３０の先端側における挿込片３２の上部に形成されている形態でも構わない。その場合、エアコンカバー３０の組み付けにおいて、このエアコンカバー３０の挿込片３２を取付座１６の挿込孔１６ａに大きく挿入し損ねると、第１のリブ３４の傾斜部３４ａが取付座１６の上縁に干渉することとなる。したがって、サイドパネル１４に対してエアコンカバー３０が略上方向に位置ズレを起こすため、ブラケット２０の取付孔２０ａに対してクリップ５０も略上方向に位置ズレを起こしてしまうこととなる。結果として、クリップ５０の取付部５０ａをブラケット２０の取付孔２０ａに取り付けることができないため、誤組付を未然に防止できる。
【符号の説明】
【００２５】
１６    取付座（相手部材）
１６ａ  挿込孔
２０ａ  取付孔
３０    エアコンカバー（樹脂カバー）
３２    挿込片
３４    第１のリブ
５０    クリップ
【図１】
0006279525.tif 000002
【図２】
0006279525.tif 000003
【図３】
0006279525.tif 000004
【図４】
0006279525.tif 000005
【図５】
0006279525.tif 000006
【図６】
0006279525.tif 000007
【図７】
0006279525.tif 000008
【図８】
0006279525.tif 000009
【図９】
0006279525.tif 000010
【図１０】
0006279525.tif 000011
【図１１】
0006279525.tif 000012
【図１２】
0006279525.tif 000013
【図１３】
0006279525.tif 000014
【図１４】
0006279525.tif 000015
【図１５】
0006279525.tif 000016
【図１６】
0006279525.tif 000017